(57)【要約】【課題】薄型テレビ等の薄型画像情報機器を使用中であっても天板上を全面使用可能とすることができ、かつ、使用者が楽な姿勢で薄型画像情報機器を見ることができる薄型画像情報機器付きテーブルを提供することを目的とする。【解決手段】天板１の下面１ａ側に水平姿勢で配設される薄型画像情報機器２と、薄型画像情報機器２を前後往復自在に移動して天板１の下面１ａ側に配置する収納状態と前方へ水平姿勢を保ちつつ引き出した引出し状態とに切り換える前後方向移動機構３と、引出し状態で薄型画像情報機器２を左右水平軸心廻りに揺動させて所望の傾斜角度に保持する角度調整機構４と、を備えたものである。【選択図】図１
2007097617.tif 000002
【特許請求の範囲】
【請求項１】
天板（１）の下面（１ａ）側に水平姿勢で配設される薄型画像情報機器（２）と、該薄型画像情報機器（２）を前後往復自在に移動して上記天板（１）の下面（１ａ）側に配置する収納状態と前方へ上記水平姿勢を保ちつつ引き出した引出し状態とに切り換える前後方向移動機構（３）と、上記引出し状態で上記薄型画像情報機器（２）を左右水平軸心廻りに揺動させて所望の傾斜角度に保持する角度調整機構（４）と、を備えたことを特徴とする薄型画像情報機器付きテーブル。
【請求項２】
上記前後方向移動機構（３）は、上記天板（１）の下面（１ａ）側に前後方向に伸びて配設されるガイドレール（５）と、該ガイドレール（５）に沿って転動自在のローラ（14）を有する移動枠（６）と、を具備し、上記角度調整機構（４）は、上記薄型画像情報機器（２）を上記移動枠（６）に左右水平軸心廻りに揺動可能に取り付ける枢着部（15）を有し、該枢着部（15）は、該薄型画像情報機器（２）の揺動を所望の傾斜角度に保持する摩擦抵抗付加部（７）を有する請求項１記載の薄型画像情報機器付きテーブル。
【請求項３】
上記移動枠（６）に一端が水平面内で揺動可能に枢着された定尺の配線誘導リンク（８）の他端を、該配線誘導リンク（８）の長手方向にスライド可能に上記天板（１）の下面（１ａ）側に配設し、上記薄型画像情報機器（２）に接続された配線（９）を上記配線誘導リンク（８）に沿って保持した請求項２記載の薄型画像情報機器付きテーブル。
【請求項４】
上記移動枠（６）に当接して上記薄型画像情報機器（２）を上記引出し状態に位置決めする前方ストッパ（12）と、該引出し状態で移動枠（６）の上記ローラ（14）を挟圧状に保持する上下振れ止め手段（13）と、を備えた請求項２又は３記載の薄型画像情報機器付きテーブル。
【請求項５】
上記薄型画像情報機器（２）に該薄型画像情報機器（２）を手動で動かす取手部材（11）を設けた請求項１，２，３又は４記載の薄型画像情報機器付きテーブル。
【請求項６】
上記前後方向移動機構（３）と上記角度調整機構（４）とを、電動で駆動可能とした請求項１記載の薄型画像情報機器付きテーブル。
【発明の詳細な説明】
【技術分野】
【０００１】
本発明は、薄型画像情報機器付きテーブルに関する。
【背景技術】
【０００２】
従来、テーブルに薄型のテレビやパソコンのディスプレイ等（薄型画像情報機器）が備え付けられたものがあり、薄型テレビ等を簡単にテーブルの天板上に設置し、天板の一部を上方へ開いて収納することができる薄型画像情報機器付きテーブルがある。
このような薄型画像情報機器付きテーブルは、例えば、病院のベッドに設置され、患者がベッドに居ながらテレビを見たい時は、テレビを天板上に起立させ、テレビが不要な場合は、テレビを倒して天板上の（載置）スペースを広く確保し、食事や読書等を行えるようにしていた（例えば、特許文献１，２参照）。
【特許文献１】特開平８−１４１０２２号公報
【特許文献２】特開２００４−２７５４１７号公報
【発明の開示】
【発明が解決しようとする課題】
【０００３】
しかし、従来の薄型画像情報機器付きテーブルは、テレビを使用する際に天板上に起立（立設）させるスペースを確保する必要があるため、天板上に置いていた物を移動させたり片づけたりしなければならず、面倒であった。
また、テレビを天板上に立設した状態では、表示画面が斜め上向きに配置されるので、患者（使用者）はベッドの上で上半身を起こして見なければならず、長時間テレビを見るのは苦痛であった。
そこで、本発明は、薄型テレビ等の薄型画像情報機器を使用中であっても天板上を全面使用可能とすることができ、かつ、使用者が楽な姿勢で薄型画像情報機器を見ることができる薄型画像情報機器付きテーブルを提供することを目的とする。
【課題を解決するための手段】
【０００４】
上記目的を達成するために、本発明に係る薄型画像情報機器付きテーブルは、天板の下面側に水平姿勢で配設される薄型画像情報機器と、該薄型画像情報機器を前後往復自在に移動して上記天板の下面側に配置する収納状態と前方へ上記水平姿勢を保ちつつ引き出した引出し状態とに切り換える前後方向移動機構と、上記引出し状態で上記薄型画像情報機器を左右水平軸心廻りに揺動させて所望の傾斜角度に保持する角度調整機構と、を備えたものである。
【０００５】
また、上記前後方向移動機構は、上記天板の下面側に前後方向に伸びて配設されるガイドレールと、該ガイドレールに沿って転動自在のローラを有する移動枠と、を具備し、上記角度調整機構は、上記薄型画像情報機器を上記移動枠に左右水平軸心廻りに揺動可能に取り付ける枢着部を有し、該枢着部は、該薄型画像情報機器の揺動を所望の傾斜角度に保持する摩擦抵抗付加部を有するものである。
【０００６】
また、上記移動枠に一端が水平面内で揺動可能に枢着された定尺の配線誘導リンクの他端を、該配線誘導リンクの長手方向にスライド可能に上記天板の下面側に配設し、上記薄型画像情報機器に接続された配線を上記配線誘導リンクに沿って保持したものである。
【０００７】
また、上記移動枠に当接して上記薄型画像情報機器を上記引出し状態に位置決めする前方ストッパと、該引出し状態で移動枠の上記ローラを挟圧状に保持する上下振れ止め手段と、を備えたものである。
【０００８】
また、上記薄型画像情報機器に該薄型画像情報機器を手動で動かす取手部材を設けたものである。
また、上記前後方向移動機構と上記角度調整機構とを、電動で駆動可能とした。
【発明の効果】
【０００９】
本発明は、次のような著大な効果を奏する。
本発明に係る薄型画像情報機器付きテーブルによれば、（薄型テレビ等の）薄型画像情報機器を使用中であっても、天板上を全面使用可能とすることができる。つまり、従来のように、天板上に薄型画像情報機器を立設しないので、使用（立設）する際に天板上の載置物等を片づける面倒な作業が不要となり、至便である。
また、薄型画像情報機器を所望の傾斜角度に調整できるので、使用者（病人・患者）は楽な姿勢で見ることができる。例えば、薄型画像情報機器の画像表示面を下向きに傾斜して配置すれば、ベッドに寝ながらにして（画像表示面を）見ることができ、上半身を起こした無理な姿勢で見る必要がなくなる。
【発明を実施するための最良の形態】
【００１０】
以下、実施の形態を示す図面に基づき本発明を詳説する。
本発明のテーブル10は、特に、病院等で病人（患者）用のベッド又はベッド近傍に設置されるものである。
図１〜図３に於て、テーブル10は、床面に設置された土台部20と、土台部20に立設された支柱21と、支柱21の上端に設けられた支持部材22と、支持部材22の上に水平に付設された天板１と、を有している。
天板１の下面１ａ側には、薄型画像情報機器２が水平姿勢で配設され、薄型画像情報機器２は、その正面に有する画像表示面16を下方に向けて配置されている。
また、この薄型画像情報機器２は、例えば、液晶テレビ・プラズマテレビの薄型テレビである。
【００１１】
本発明は、薄型テレビ２（薄型画像情報機器２）を前後往復自在に移動して、天板１の下面１ａ側に配置する収納状態（図１〜図３参照）と、前方へ上記水平姿勢を保ちつつ引き出した引出し状態（図６、図７参照）とに切り換える前後方向移動機構３を備えている。
また、図６と図７に示す引出し状態で薄型テレビ２を左右水平軸心廻りに揺動させて所望の傾斜角度に保持する角度調整機構４を具備している（図８、図９参照）。
【００１２】
上記前後方向移動機構３は、天板１の下面１ａ側に前後方向に伸びて配設されるガイドレール５と、ガイドレール５に沿って転動自在のローラ14を有する移動枠６と、を有している。
【００１３】
具体的には、図10に示すように、ガイドレール５は、内部に移動枠６が走行する走行空間23を有している。そして、ガイドレール５は、上面を移動枠６のローラ14が転動する左右一対の走行用下板部24，24を備え、その下板部24，24の内端縁にて開口部25が形成されている。またガイドレール５の上板部26は天板１の下面１ａに付設されている。
【００１４】
移動枠６は、枠本体27と、枠本体27に回転可能に取り付けられる左右一対の前ローラ14ａ，14ａと左右一対の後ローラ14ｂ，14ｂと、を有し、枠本体27の枠本体27はガイドレール５の開口部25を有する中央部に配置されている。また、引出し状態に於て、枠本体27の前端部は、天板１の下方から前方に突出するようになっている（図６、図７参照）。
【００１５】
枠本体27は、上壁部17と、上壁部17に一体状に付設される左右側壁部18，18と、を有する横断面下方開口状コの字型の部材であり、枠本体27に左右水平状に固着された前後の車軸28，28には、前ローラ14ａ，14ａと後ローラ14ｂ，14ｂとが回転可能に取り付けられている。そして、前後の車軸28，28の左右両端には、前ローラ14ａと後ローラ14ｂが車軸28から外れるのを防止する円形の抜止め部29が固着されている（図12、図13参照）。
【００１６】
また、図２と図３に於て、薄型テレビ２は、その背面に付設された取付部材30を介して移動枠６の前端部に左右水平軸心廻りに揺動可能に取り付けられ、上記角度調整機構４は、薄型テレビ２を移動枠６（枠本体27）の前端部に左右水平軸心廻りに揺動可能に取り付ける枢着部15を有している。さらに、枢着部15は薄型テレビ２の揺動を所望の傾斜角度に保持する摩擦抵抗付加部７を有している。
【００１７】
具体的には、図11に示すように、薄型テレビ２に付設された取付部材30は、横断面コの字状に形成されており、取付部材30の左右の垂直壁部31，31は、移動枠６の左右側壁部18，18の内側に接触して配置されている。垂直壁部31，31の間には、短管スペーサ32が配設され、垂直壁部31と側壁部18は、短管スペーサ32内を挿通する六角穴付きのボルト33とボルト33に螺着されたダブルナット34にて、締結されている。また、ボルト33の頭部33ａと（図11に於て）左側の側壁部18との間に、及び、ダブルナット34と右側の側壁部18との間には、スプリングワッシャ又は皿バネから成る摩擦抵抗付加部７が挟圧状に介在されている。
【００１８】
また、図１〜図３に於て、帯状金属片から成る定尺の配線誘導リンク８を、天板１の下面１ａ側に配置し、配線誘導リンク８の一端は、移動枠６の枠本体27に付設された吊下軸35の下端に枢着され（図３、図10参照）、水平面内で揺動可能に保持されている。また、図２に示すように、配線誘導リンク８の他端には長孔36が長手方向に伸びて形成され、配線誘導リンク８は、その長孔36に摺動可能かつ回転可能に挿入した取付具37にて、天板１が付設された支持部材22の下面に取り付けられている。つまり、配線誘導リンク８は、その取付具37に対し、長手方向にスライド可能にかつ水平面内で揺動可能に取り付けられている。
さらに、薄型テレビ２には、（図２に於て太い一点鎖線で示す）電源コード等の配線９が接続されており、配線９は配線誘導リンク８に沿って保持されている。また、配線９は複数個の止着部材38にて配線誘導リンク８の上面又は下面に取着されている。
【００１９】
図７に示すように、移動枠６に当接して薄型テレビ２を引出し状態に位置決めする前方ストッパ12，12が、ガイドレール５の前端部に配設されている。また、その引出し状態で移動枠６の前ローラ14ａ，14ａを挟圧状に保持する上下振れ止め手段13が、ガイドレール５の前端部に設けられている。
【００２０】
図12は、引出し状態（図７）に於ける要部拡大側面図であり、前方ストッパ12，12は、前ローラ14ａ，14ａの左右側外方に配置された円形の抜止め部29，29に当接するように配設されている。また、振れ止め手段13は、ガイドレール５の下板部24の前端上面に配置されるゴム製等の弾発部材39と、上板部26の前端に形成されかつ弾発部材39の上方に配設された係止孔部40と、を有する。
【００２１】
図13は、収納状態（図３）に於ける要部拡大側面図であり、後ローラ14ｂ，14ｂの左右側外方に配置された円形の抜止め部29，29に当接して薄型テレビ２を収納状態に位置決めする後方ストッパ41が、ガイドレール５の後端部に配設されている。また、収納状態で移動枠６の後ローラ14ｂ，14ｂを係止する係止孔部42が、下板部24の後端に形成されている。
【００２２】
また、薄型テレビ２は、薄型テレビ２を手動で動かす取手部材11を備えている。取手部材11は、金属線材を折曲げて形成されており、その両端部は薄型テレビ２の背面に付設されている。薄型テレビ２が水平姿勢を保った状態に於て、取手部材11は、薄型テレビ２から前方に突設された把持部19を有し、把持部19は（薄型テレビ２が揺動しても）常に水平状に配設されている。
【００２３】
また、天板１の下面１ａには、収納状態の薄型テレビ２を包囲する収納カバー45が付設され、収納カバー45は前方開口部46を有している。
また、図１に示すように、土台部20には床面を転動自在の車輪47を複数個備え、テーブル10は自由に移動可能になっている。さらに、支柱21は上下方向に伸縮可能となっており、支柱21の上端に付設された支持部材22には、支柱21を伸縮させて天板１を昇降させる操作レバー48が設けられている。
【００２４】
図14に示すのは、本発明の他の実施の形態を示す要部側面図であり、移動枠６にはローラ14を電動で回転させ前後往復走行させる走行駆動モータ43が取り付けられている。さらに、薄型テレビ２を移動枠６（枠本体27）に左右水平軸心廻りに揺動可能に取り付けた枢着部15には、薄型テレビ２を電動で揺動させる揺動駆動モータ44が付設されている。
言い換えれば、前後方向移動機構３と角度調整機構４とが、電動で駆動可能に構成されている。
また、図示省略するが、走行駆動モータ43と揺動駆動モータ44とを操作する操作部が設けられている。
なお、図14に於て、図７と同一の符号は図７と同様の構成であるので説明を省略する。
【００２５】
本発明の薄型画像情報機器付きテーブルは、設計変更自由であり、図示省略するが、薄型テレビ２を収納状態でローラ14（後ローラ14ｂ，14ｂ）を挟圧状に保持する上下振れ止め手段をガイドレール５の後端部に設け、ガイドレール５の下板部24に弾発部材を配設すると共に、弾発部材の上方の上板部26に係止孔部を形成するようにしてもよい。
また、配線誘導リンク８を中空体又は横断面Ｕ字状等に形成された半中空体とし、配線９をその配線誘導リンク８内に配設するようにしてもよい。
なお、上記薄型画像情報機器２は、薄型テレビに限らず、パーソナルコンピュータやそのディスプレイ等の有線又は無線にて画像情報を受信し表示する機器も含む。
【００２６】
上述した本発明の薄型画像情報機器付きテーブルの使用方法（作用）について説明する。
図２と図３に示す収納状態に於て、取手部材11の把持部19を握って手前（前方）へ引っ張る。この時、移動枠６の後ローラ14ｂ，14ｂが係止孔部42を脱した後（図13参照）、ローラ14（前ローラ14ａと後ローラ14ｂ）はガイドレール５の下板部24上を転動し、図４と図５に示すように、移動枠６が前進する。また、配線誘導リンク８は、配線９を保持したまま水平面内を揺動しつつ移動枠６に追随する。
【００２７】
さらに、把持部19を握って手前（前方）へ引っ張って移動枠６を前進させると、図12に示すように、前ローラ14ａが下板部24に配設された弾発部材39上に乗り上がる。そして、前ローラ14ａの側外方の抜止め部29が、前方ストッパ12に当接すると共に、前ローラ14ａの上端縁が上方の係止孔部40内に嵌まり、下方の弾発部材39による弾発付勢にて前ローラ14ａは挟圧状に保持される。この状態で、図６と図７とに示す引出し状態となる。
そして、図９に示すように、把持部19を持って薄型テレビ２を揺動させ、所望の傾斜角度に調整して（薄型テレビ２を鑑賞する）使用状態とする。
【００２８】
また、薄型テレビ２を使用しない（収納する）場合は、図９に示す使用状態から、薄型テレビ２を揺動させて水平姿勢に戻し（引き出し状態とし）、把持部19を持って薄型テレビ２を奥へ（後方へ）押し込む。この時、前ローラ14ａは弾発部材39と係止孔部40による保持状態から脱し、ローラ14（前ローラ14ａと後ローラ14ｂ）はガイドレール５の下板部24上を転動し、移動枠６が後退する。また、配線誘導リンク８は、配線９を保持したまま水平面内を揺動しつつ移動枠６に追随する。
【００２９】
さらに、移動枠６を奥へ押し込む（後退させる）と、図13に示すように、後ローラ14ｂの側外方の抜止め部29が後方ストッパ41に当接すると共に、後ローラ14ｂが下板部24に配設された係止孔部42に嵌まって係止され、収納状態となる。
【００３０】
以上のように、本発明の薄型画像情報機器付きテーブルは、天板１の下面１ａ側に水平姿勢で配設される薄型画像情報機器２と、薄型画像情報機器２を前後往復自在に移動して天板１の下面１ａ側に配置する収納状態と前方へ水平姿勢を保ちつつ引き出した引出し状態とに切り換える前後方向移動機構３と、引出し状態で薄型画像情報機器２を左右水平軸心廻りに揺動させて所望の傾斜角度に保持する角度調整機構４と、を備えたので、（薄型テレビ等の）薄型画像情報機器２を使用中であっても、天板１上を全面使用可能とすることができる。つまり、従来のように、天板１上に薄型画像情報機器２を立設しないので、使用（立設）する際に天板１上の載置物等を片づける面倒な作業が不要となり、至便である。
また、薄型画像情報機器２を所望の傾斜角度に調整できるので、使用者（病人・患者）は楽な姿勢で見ることができる。例えば、薄型画像情報機器２の画像表示面16を下向きに傾斜して配置すれば、ベッドに寝ながらにして（画像表示面16を）見ることができ、上半身を起こした無理な姿勢で見る必要がなくなる。
【００３１】
また、前後方向移動機構３は、天板１の下面１ａ側に前後方向に伸びて配設されるガイドレール５と、ガイドレール５に沿って転動自在のローラ14を有する移動枠６と、を具備し、角度調整機構４は、薄型画像情報機器２を移動枠６に左右水平軸心廻りに揺動可能に取り付ける枢着部15を有し、枢着部15は、薄型画像情報機器２の揺動を所望の傾斜角度に保持する摩擦抵抗付加部７を有するので、収納状態と引出し状態を容易にかつスムーズに切り換えることができ、薄型画像情報機器２を使用者が見たい傾斜角度に簡単に調整することができる。
【００３２】
また、移動枠６に一端が水平面内で揺動可能に枢着された定尺の配線誘導リンク８の他端を、配線誘導リンク８の長手方向にスライド可能に天板１の下面１ａ側に配設し、薄型画像情報機器２に接続された配線９を配線誘導リンク８に沿って保持したので、収納状態と引出し状態とに切り換える際に、配線９が配線誘導リンク８に保持されつつ薄型画像情報機器２に追随することができる。従って、薄型画像情報機器２を前後移動させても配線９が邪魔になったり絡まったりすることがなく、特に、配線９の切断等の危険も確実に防止でき、スムーズに収納状態と引出し状態とを切り換えることができる。
【００３３】
また、移動枠６に当接して薄型画像情報機器２を引出し状態に位置決めする前方ストッパ12と、引出し状態で移動枠６のローラ14を挟圧状に保持する上下振れ止め手段13と、を備えたので、薄型画像情報機器２のガタつき（上下振れ）を防止し、薄型画像情報機器２を安定して固定することができる。このことにより、使用者は薄型画像情報機器２を所望の傾斜角度に正確に調整することができ、見易いものとなる。
【００３４】
また、薄型画像情報機器２に薄型画像情報機器２を手動で動かす取手部材11を設けたので、使用者が簡単かつスムーズに薄型画像情報機器２を収納状態と引出し状態とに切り換えることができ、さらに、簡単かつスムーズに薄型画像情報機器２の傾斜角度を自由に調整することができる。
【００３５】
また、前後方向移動機構３と角度調整機構４とを、電動で駆動可能としたので、また、薄型画像情報機器２を引き出して傾斜角度を調整する（使用状態にする）作業や、薄型画像情報機器２を天板１の下面１ａ側に収納する（収納状態にする）作業を、楽に行うことができる。特に、体を自由に動かすことが困難な使用者（病人・患者）にとって至便である。
【図面の簡単な説明】
【００３６】
【図１】本発明の実施の形態を示す正面図である。
【図２】平面図である。
【図３】要部側面図である。
【図４】平面図である。
【図５】要部側面図である。
【図６】平面図である。
【図７】要部側面図である。
【図８】平面図である。
【図９】要部側面図である。
【図１０】要部拡大正面図である。
【図１１】要部拡大平面図である。
【図１２】要部拡大側面図である。
【図１３】要部拡大側面図である。
【図１４】他の実施の形態を示す要部側面図である。
【符号の説明】
【００３７】
１  天板
１ａ  下面
２  薄型画像情報機器
３  前後方向移動機構
４  角度調整機構
５  ガイドレール
６  移動枠
７  摩擦抵抗付加部
８  配線誘導リンク
９  配線
11  取手部材
12  前方ストッパ
13  上下振れ止め手段
14  ローラ
15  枢着部
【図１】
2007097617.tif 000003
【図２】
2007097617.tif 000004
【図３】
2007097617.tif 000005
【図４】
2007097617.tif 000006
【図５】
2007097617.tif 000007
【図６】
2007097617.tif 000008
【図７】
2007097617.tif 000009
【図８】
2007097617.tif 000010
【図９】
2007097617.tif 000011
【図１０】
2007097617.tif 000012
【図１１】
2007097617.tif 000013
【図１２】
2007097617.tif 000014
【図１３】
2007097617.tif 000015
【図１４】
2007097617.tif 000016